(57)【特許請求の範囲】
【請求項１】
水の付着により変色する水変色層に２個以上の電極を間隔をおいて設け、前記電極間に負荷を接続し、前記電極間を前記水変色層に形成した連続状の水変色像により接続した際、前記負荷を通電作動させてなる水変色通電作動玩具。
【請求項２】
水変色層に３個以上の電極を間隔をおいて設け、前記電極が、水変色像により接続した際に負荷が作動する一対の電極と、水変色像により電極間を接続した際にその負荷が作動しない一対の電極とを備えてなる請求項１記載の水変色通電作動玩具。
【請求項３】
通電状態の電極間の微弱電流を増幅する増幅回路を前記電極間に設け、前記増幅回路により増幅された出力電流により前記負荷を作動させてなる請求項１または２記載の水変色通電作動玩具。
【請求項４】
前記水変色層が、支持体上に低屈折率顔料をバインダ樹脂と共に分散状態に固着させた多孔質層よりなる請求項１、２または３のいずれかに記載の水変色通電作動玩具。
【発明の詳細な説明】
【０００１】
【発明の属する技術分野】
本発明は、水変色通電作動玩具に関する。
【０００２】
【従来の技術】
従来、例えば、実開平３−５５２９５号公報には、筆記すると同時に音が発生する画板が開示されているが、これは、「互いに近接配置されて対をなす接点用プリントパターンが適数上面の所定領域に形成され、上記各対をなす接点用プリントパターン間が電気的に短絡されることによりそれぞれ所定の音を発生せしめる電子回路が搭載されたプリント基板と、該プリント基板の上記接点用プリントパターンが形成された領域上に積層され、上記各対の接点用プリントパターンに対応する位置にそれぞれ透孔が設けられた絶縁材からなるスペーサシートと、該スペーサシート上に積層され、導電材からなり可撓性を有する導電シートと、該導電シート上に積層され、上面が筆記自在で、かつ、可撓性を有する筆記シートとを備えてなることを特徴とする画板。」であるため、複雑な構造を余儀なくされる。
【０００３】
また、従来、水筆紙等の水変色玩具は、水変色像を視覚すること以外には遊びのバリエーションが少なく、商品形態が、お絵描き玩具等に限られていた。
【０００４】
【発明が解決しようとする課題】
本発明は、前記従来の問題点を解決し、水変色と共に負荷が通電作動して、玩具としての遊びのバリエーションが格段に増加する、簡易な構造の水変色通電作動玩具を提供しようとするものである。
【０００５】
【課題を解決するための手段】
〔１〕  本発明の水変色通電作動玩具は、水の付着により変色する水変色層に複数の電極を間隔をおいて設け、前記電極間に負荷を接続し、前記電極間を前記水変色層に形成した連続状の水変色像により接続した際、前記負荷を通電作動させてなること（請求項１）を要件とする。
【０００６】
請求項１の構成により、比較的簡易な構造であるにもかかわらず、水変色層の表面の水変色像を視覚すると共に負荷が通電作動して、玩具としての遊びのバリエーションが格段に広がる。
【０００７】
〔２〕  前記請求項１の水変色通電作動玩具１において、３個以上の電極を間隔をおいて設け、前記３個以上の電極が、水変色像により接続した際に負荷が作動する一対の電極と、水変色像により電極間を接続した際にその負荷が作動しない一対の電極とを備えてなること（請求項２）が好ましい。
【０００８】
請求項２の構成により、３個以上の電極の中から一対の電極を選択して負荷を作動させ、他の一対の電極では少なくともその負荷を作動させない構成であるため、負荷を作動させるために電極を選択するという面白さが加わり、お絵描き玩具以外に、知育玩具やゲーム等に応用することができ、商品形態のバリエーションが格段に広がる。
【０００９】
〔３〕  前記請求項１または２の水変色通電作動玩具１において、通電状態の電極間の微弱電流を増幅する増幅回路を前記電極間に設け、前記増幅回路により増幅された出力電流により前記負荷を作動させてなること（請求項３）が好ましい。
【００１０】
請求項３の構成により、電極間の微弱な入力電流が増幅回路により増幅されるため、僅かの水の付着でも負荷の安定した作動を得ることができる。
【００１１】
〔４〕  前記請求項１、２または３の水変色通電作動玩具１において、前記水変色層が、支持体上に低屈折率顔料をバインダ樹脂と共に分散状態に固着させた多孔質層よりなること（請求項４）が好ましい。
【００１２】
請求項４の構成により、吸水状態の水変色層では、透明または半透明化し、水変色像を現出させると共に負荷の通電作動を得ることができ、一方、非吸水状態（乾燥状態）の水変色層では、水変色像が消失され、負荷の通電作動を阻止することができる。即ち、水変色と負荷の通電作動を、繰り返し楽しむことができる。
【００１３】
〔５〕  尚、前記水変色層の低屈折率顔料は、例えば、微粒子状珪酸、バライト粉、沈降性硫酸バリウム、炭酸バリウム、沈降性炭酸カルシウム、石膏、クレー、タルク、アルミナホワイト、塩基性炭酸マグネシウム等が挙げられる。
【００１４】
尚、前記水変色層のバインダ樹脂は、例えば、ウレタン樹脂、ナイロン樹脂等が挙げられる。
【００１５】
尚、前記水変色層の支持体は、例えば、合成紙、布帛、フィルム、金属、ゴム、レザー、ガラス、陶磁器、木材、石材等が挙げられる。
【００１６】
尚、前記電極は、導電性材料あればよく、例えば、金属片、導電繊維、導電糸、導電性インキ等が挙げられる。
【００１７】
尚、前記負荷は、通電により作動するものであればよく、例えば、駆動体（例えば、モーター、ソレノイド）、発音体（例えば、ブザー、ベル、電子発音体、録音媒体等）、発光体（例えば、電球、発光ダイオード等）、発熱体（例えば、ヒーター）等が挙げられる。
【００１８】
尚、前記増幅回路は、一つまたは複数のトランジスタを用いた回路であり、電極間の微弱電流による入力信号がトランジスタにより増幅され、その増幅された出力信号により負荷を通電作動させる構成である。
【００１９】
【発明の実施の形態】
本発明の実施の形態を図面に従って説明する。
【００２０】
・第１実施例（図１参照）
本実施例の水変色通電作動玩具１は、お絵描き玩具の形態であり、水変色シート２と、該水変色シート２の表面に露出させた２個の電極３１，３２と、該電極３１，３２に接続され、該電極３１，３２間に流れる微弱電流の入力を増幅して出力する増幅回路５と、該増幅回路５の出力により通電作動する負荷４とからなる
【００２１】
前記水変色シート２は、低屈折率顔料（例えば、微粒子状珪酸）をバインダ樹脂と共に分散状態に固着した多孔質体よりなる水変色層２１と、その水変色層２１の裏面に積層される支持体（例えば、布帛、合成紙、フィルム等）とからなる。
【００２２】
前記電極３１，３２は、水変色シート２の表面（水変色層２１の表面）の間隔をおいた２箇所に導電性インキを塗布し、それを固化させた構成である。前記電極３１，３２は、増幅回路５の入力端子５１に電気的に接続されている。
【００２３】
前記増幅回路５は、３個のトランジスタ（ｎｐｎ型）を用いた回路よりなる。増幅回路５は、直流電源（例えば電池）及び負荷４（例えばブザー等の発音体）が接続された出力回路を備える。
【００２４】
内部に水を収容し且つ外部に水を吐出可能な水変色具８により、電極３１，３２間の水変色シート２表面を筆記すると、水変色シート２表面に水変色像６が得られると同時に、連続した水変色像６により電極３１，３２間が接続されることにより、電極３１，３２間に微弱電流（入力電流）が流れると共に、増幅回路５により増幅された出力電流が出力回路に流れ、発音体が作動する。そして、しばらくすると、水変色像６が蒸発により消失し、電極３１，３２間の接続が解除され、出力回路の発音体の作動が停止する。
【００２５】
・第２実施例（図２参照）
本実施例の水変色通電作動玩具１は、問題に対する回答が正解の場合に負荷４が作動する知育玩具であり、着脱自在の複数の水変色シート２と、本体７とからなる。
【００２６】
水変色シート２は、表面に多孔質層よりなる水変色層２１を有する合成紙からなる。前記水変色シート２は、その表面に、一つの問題と、それに対する三つの回答とが印刷されると共に、その問題及び回答の印刷部２２，２３の近傍に環状の接点２４（例えば金属製ハトメ）がそれぞれ設けられる。前記接点２４は、水変色シート２の両面（即ち表面及び裏面）より露出し、貫通孔２４ａを備える。また、水変色シート２の一端には切り欠き２５が設けられる。
【００２７】
本体７表面には、前記水変色シート２の環状の接点２４に対応した位置に、金属製の円柱状の電極３１，３２が突出配置される。前記問題側の一つの電極３１と、前記回答側の三つの電極３２との間には、増幅回路５が接続される。前記増幅回路５は、第１実施例同様、直流電源（例えば電池）及び負荷４（例えばブザー等の発音体）が接続された出力回路を備える。
【００２８】
本体７内には、水変色シート２の切り欠き２５の位置を検出するマイクロスイッチ７１が設けられる。それにより、それぞれの水変色シート２において、問題側の電極３１とその問題の正解を表す回答側の３個の電極３２の１個とからなる一対の電極を、通電可能状態に設定することができる。
【００２９】
水変色シート２を本体７の表面に載せ、水変色シート２の環状の接点２４の貫通孔２４ａに、本体７の電極３１，３２が挿入係止され、前記接点２４と前記電極３１，３２とがそれぞれ電気的に接続される。
【００３０】
図２では、水変色シート２の表面に問題「１＋２＝」と、複数の回答「１」「２」「３」とが印刷されると共に、水変色シート２を本体７表面に載せた際、前記印刷部２２，２３の近傍に、電極３１，３２及び接点２４が露出している。
【００３１】
水変色具８により、水変色シート２表面に水変色像６を形成し、問題側の電極３１と、回答側の３個の電極３２の中の１個とを、連続した水変色像６により接続すると、本体７内のマイクロスイッチ７１により、回答側の３個の電極３２の中の正解位置の１個の電極が検出される。図２の場合、問題側の電極３１と、回答側の３個の電極３２の中の正解「３」の印刷部２３近傍の１個の電極とが連続した水変色像６により接続されたとき、前記電極３１，３２間の微弱な入力電流が増幅回路５により増幅され、その増幅された出力電流により出力回路の発音体が作動する。
【００３２】
一方、不正解「１」または「２」の印刷部２３近傍に位置する回答側の２個の電極３２と、問題側の電極３１とが水変色像６により接続されたとき、少なくとも前記正解時に作動する発音体は作動しない。但し、前記不正解の場合、正解時に作動する負荷４とは別の負荷（例えば、正解時とは異なる音を発する発音体）が作動するよう構成することもできる。
【００３３】
・第３実施例（図３参照）
本実施例の水変色通電作動玩具１は、ロボットの外観を有する水鉄砲標的玩具であり、ロボット形態の本体７と、該本体７の腹部に形成される水変色シート２とからなる。
【００３４】
前記水変色シート２は、布帛よりなる支持体の表面に、多孔質体よりなる水変色層２１が形成されてなる。前記水変色シート２表面には、導電性糸からなる同心円状の二つの電極３１，３２が配設される。具体的には、前記電極３１，３２は、導電性糸を水変色シート２に縫着することによりに得られる。
【００３５】
前記電極３１，３２には、第１実施例と同様に、増幅回路５が接続される。前記増幅回路５の出力回路には、直流電源（例えば電池）及び負荷４（例えば発光ダイオード等の発光体）が接続される。前記発光体は、ロボット玩具の両目に組み込まれる。
【００３６】
水変色具８（例えば水鉄砲等）により、ロボット形態の本体７の腹部に水を放つと、水変色層２１に水が付着し、水変色像６が得られる。そして、前記水変色像６により同心円状の二つの電極３１，３２間が接続されると、電極３１，３２間の微弱電流が増幅回路５により増幅され出力回路の発光体が発光する。
【００３７】
【発明の効果】
請求項１の発明により、簡易な構造にもかかわらず、水変色と共に負荷が通電作動して、玩具としての遊びのバリエーションが格段に増加する。
【００３８】
請求項２の発明により、お絵描き玩具以外に、知育玩具やゲーム等にも応用することができ、商品形態の幅が著しく増大する。
【００３９】
請求項３の発明により、僅かの水の付着でも負荷の安定した作動を得ることができる。
【００４０】
請求項４の発明により、水変色と負荷の通電作動を、繰り返し楽しむことができる。
【図面の簡単な説明】
【図１】本発明の第１実施例の説明図である。
【図２】本発明の第２実施例の説明図である。（ａ）は、使用前の水変色シートと本体との分離状態を示す。（ｂ）は使用状態を示す。
【図３】本発明の第３実施例の説明図である。
【符号の説明】
１  水変色通電作動玩具
２  水変色シート
２１  水変色層
２２  問題の印刷部
２３  回答の印刷部
２４  接点
２４ａ  貫通孔
２５  切り欠き
３１  電極
３２  電極
４  負荷
５  増幅回路
５１  入力端子
６  水変色像
７  本体
７１  マイクロスイッチ
８  水変色具
【図１】
0004451020.tif 000002
【図２】
0004451020.tif 000003
【図３】
0004451020.tif 000004